(57)【要約】【課題】コンテンツを見るだけでコンテンツに関連する所定の対象の状態の変化を容易に把握することを可能とする技術が提供されることが望まれる。【解決手段】コンテンツを指定するための情報番号と前記コンテンツに関連する所定の対象の状態に関する情報とを取得する状態取得部と、前記状態に関する情報に基づいて、前記情報番号によって指定されるコンテンツの表現を制御する表現制御部と、を備える、制御装置が提供される。【選択図】図１
2018169492.tif 000002
【特許請求の範囲】
【請求項１】
コンテンツを指定するための情報番号と前記コンテンツに関連する所定の対象の状態に関する情報とを取得する状態取得部と、
前記状態に関する情報に基づいて、前記情報番号によって指定されるコンテンツの表現を制御する表現制御部と、
を備える、制御装置。
【請求項２】
前記状態取得部は、異なる二つの時点それぞれにおける状態の差分を前記状態に関する情報として取得する、
請求項１に記載の制御装置。
【請求項３】
前記状態取得部は、前記二つの時点それぞれにおける状態をサーバ装置から順に取得し、前記二つの時点における状態の差分を算出する、
請求項２に記載の制御装置。
【請求項４】
前記状態取得部は、前記二つの時点それぞれにおける状態の差分をサーバ装置から前記状態に関する情報として取得する、
請求項２に記載の制御装置。
【請求項５】
前記表現制御部は、前記差分に応じて表現を変化させることによって前記コンテンツの表現を変更する、
請求項２に記載の制御装置。
【請求項６】
前記表現制御部は、前記二つの時点のうち後の時点における状態に対応する表現または前記差分に対応する表現に前記コンテンツの表現を変更する、
請求項２に記載の制御装置。
【請求項７】
前記状態取得部は、所定の表示情報を取得し、
前記表現制御部は、前記コンテンツの表示位置に対応する位置への前記表示情報の表示を制御する、
請求項１に記載の制御装置。
【請求項８】
前記表現制御部は、前記コンテンツの選択回数が所定の条件を満たす場合、前記コンテンツの表現を変更する、
請求項１に記載の制御装置。
【請求項９】
前記対象の状態は、店舗の売上に関する情報を含む、
請求項１に記載の制御装置。
【請求項１０】
前記対象の状態は、店舗の来場者に関する情報を含む、
請求項１に記載の制御装置。
【請求項１１】
コンテンツを指定するための情報番号と前記コンテンツに関連する所定の対象の状態に関する情報とを提供する状態提供部を備える、
サーバ装置。
【請求項１２】
コンテンツを指定するための情報番号と前記コンテンツに関連する所定の対象の状態に関する情報とを提供する状態提供部を備える、サーバ装置と、
前記情報番号と前記状態に関する情報とを取得する状態取得部と、
前記状態に関する情報に基づいて、前記情報番号によって指定されるコンテンツの表現を制御する表現制御部と、
を備える、制御装置と、
を有する、表示制御システム。
【発明の詳細な説明】
【技術分野】
【０００１】
本発明は、制御装置、サーバ装置および表示制御システムに関する。
【背景技術】
【０００２】
一般に電子表示システムによるコンテンツの表示制御に関する技術が知られている。かかる技術においては、ユーザによってＵＩ（Ｕｓｅｒ  Ｉｎｔｅｒｆａｃｅ）を用いて指定されたコンテンツも含め、事前に設定されたコンテンツが固定的に表示されるのが一般的である。一例として、コンテンツ同士の関連度に基づいて、ユーザの関心を引く可能性のあるコンテンツをディスプレイ装置に表示させる技術が開示されている（例えば、特許文献１参照）。
【先行技術文献】
【特許文献】
【０００３】
【特許文献１】特開２０１５−１５００５号公報
【発明の概要】
【発明が解決しようとする課題】
【０００４】
しかしながら、コンテンツに関連する所定の対象の状態が変化した場合であっても、コンテンツを見るだけでは、その変化を把握することは困難であるのが一般的である。そこで、コンテンツを見るだけでコンテンツに関連する所定の対象の状態の変化を容易に把握することを可能とする技術が提供されることが望まれる。
【課題を解決するための手段】
【０００５】
上記問題を解決するために、本発明のある観点によれば、コンテンツを指定するための情報番号と前記コンテンツに関連する所定の対象の状態に関する情報とを取得する状態取得部と、前記状態に関する情報に基づいて、前記情報番号によって指定されるコンテンツの表現を制御する表現制御部と、を備える、制御装置が提供される。
【０００６】
前記状態取得部は、異なる二つの時点それぞれにおける状態の差分を前記状態に関する情報として取得してもよい。
【０００７】
前記状態取得部は、前記二つの時点それぞれにおける状態をサーバ装置から順に取得し、前記二つの時点における状態の差分を算出してもよい。
【０００８】
前記状態取得部は、前記二つの時点それぞれにおける状態の差分をサーバ装置から前記状態に関する情報として取得してもよい。
【０００９】
前記表現制御部は、前記差分に応じて表現を変化させることによって前記コンテンツの表現を変更してもよい。
【００１０】
前記表現制御部は、前記二つの時点のうち後の時点における状態に対応する表現または前記差分に対応する表現に前記コンテンツの表現を変更してもよい。
【００１１】
前記状態取得部は、所定の表示情報を取得し、前記表現制御部は、前記コンテンツの表示位置に対応する位置への前記表示情報の表示を制御してもよい。
【００１２】
前記表現制御部は、前記コンテンツの選択回数が所定の条件を満たす場合、前記コンテンツの表現を変更してもよい。
【００１３】
前記対象の状態は、店舗の売上に関する情報を含んでもよい。
【００１４】
前記対象の状態は、店舗の来場者に関する情報を含んでもよい。
【００１５】
また、本発明の別の観点によれば、コンテンツを指定するための情報番号と前記コンテンツに関連する所定の対象の状態に関する情報とを提供する状態提供部を備える、サーバ装置が提供される。
【００１６】
また、本発明の別の観点によれば、コンテンツを指定するための情報番号と前記コンテンツに関連する所定の対象の状態に関する情報とを提供する状態提供部を備える、サーバ装置と、前記情報番号と前記状態に関する情報とを取得する状態取得部と、前記状態に関する情報に基づいて、前記情報番号によって指定されるコンテンツの表現を制御する表現制御部と、を備える、制御装置と、を有する、表示制御システムが提供される。
【発明の効果】
【００１７】
以上説明したように本発明によれば、コンテンツを見るだけでコンテンツに関連する所定の対象の状態の変化を容易に把握することを可能とする技術が提供される。
【図面の簡単な説明】
【００１８】
【図１】一般的な電子表示システムの構成例を示す図である。
【図２】第１の実施形態に係る電子表示システムの構成例を示す図である。
【図３】第１の実施形態に係るサーバ装置の機能構成例を示すブロック図である。
【図４】第１の実施形態に係る制御装置の機能構成例を示すブロック図である。
【図５】第１の実施形態に係るコンテンツ情報の例を示す図である。
【図６】表現情報の例を示す図である。
【図７】第１の実施形態に係る電子表示システムの動作の例を示すフローチャートである。
【図８】第１の実施形態に係る先の時点における状態情報の例を示す図である。
【図９】更新前のコンテンツ情報に基づく各コンテンツの表示例を示す図である。
【図１０】第１の実施形態に係る後の時点における状態情報の例を示す図である。
【図１１】更新後のコンテンツ情報の例を示す図である。
【図１２】更新後のコンテンツ情報に基づく各コンテンツの表示例を示す図である。
【図１３】第２の実施形態に係る先の時点における状態情報の例を示す図である。
【図１４】先の時点における状態情報に基づく各コンテンツの表示例を示す図である。
【図１５】第２の実施形態に係る先の時点における状態情報の例を示す図である。
【図１６】第２の実施形態に係る先の時点における状態情報と後の時点における状態情報とを並べて示した図である。
【図１７】第２の実施形態に係る後の時点における状態情報に基づく各コンテンツの表示例を示す図である。
【図１８】第３の実施形態に係る制御装置の機能構成例を示すブロック図である。
【図１９】第３の実施形態に係る電子表示システムの動作の例を示すフローチャートである。
【図２０】第３の実施形態に係る表現レベル更新前のコンテンツ情報の例を示す図である。
【図２１】第３の実施形態に係る表現レベル更新後のコンテンツ情報の例を示す図である。
【図２２】表現レベル更新後のコンテンツ情報に基づく各コンテンツの表示例を示す図である。
【図２３】状態情報に閾値が含められる例を示した図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、本明細書および図面において、実質的に同一の機能構成を有する複数の構成要素を、同一の符号の後に異なる数字を付して区別する場合がある。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する場合がある。ただし、異なる実施形態の類似する構成要素等の各々を特に区別する必要がない場合、同一符号のみを付する。
【００２１】
（０．概要）
まず、本実施形態の概要について説明する。一般に電子表示システムによるコンテンツの表示制御に関する技術が知られている。図１は、一般的な電子表示システムの構成例を示す図である。図１に示すように、一般的な電子表示システムは、コンテンツを表示する表示装置２００と、表示装置２００を制御する制御装置６００とを有する。例えば、制御装置６００は、ネットワーク１００を介してコンテンツ管理装置４００から表示対象のコンテンツを取得する。あるいは、制御装置６００は、自身でコンテンツを保持している。
【００２２】
また、図１に示した例では、表示装置２００と制御装置６００とは別体に構成されているが、表示装置２００と制御装置６００とは一体に構成されている場合もある。また、ネットワークによっては、制御装置６００とネットワーク１００の間に、制御装置６００がネットワーク１００に接続するための他の装置が必要な場合もある。
【００２３】
かかる技術においては、ユーザによってＵＩを用いて指定されたコンテンツも含め、事前に設定されたコンテンツが固定的に表示されるのが一般的である。一例として、コンテンツ同士の関連度に基づいて、ユーザの関心を引く可能性のあるコンテンツをディスプレイ装置に表示させる技術が開示されている（例えば、特許文献１参照）。
【００２４】
しかしながら、コンテンツに関連する所定の対象の状態が変化した場合であっても、コンテンツを見るだけでは、その変化を把握することは困難であるのが一般的である。そこで、本実施形態においては、コンテンツを見るだけでコンテンツに関連する所定の対象の状態の変化を容易に把握することを可能とする技術について主に説明する。
【００２５】
対象の例としては、店舗などが挙げられ、状態の例としては、売上に関する情報、来場者に関する情報などが挙げられる。これらの例では、店舗における商品またはサービスの売上拡大、店舗への顧客の訪問誘導などが実現されているのかがコンテンツを見るだけでは把握されない。したがって、コンテンツを見るだけで店舗における商品またはサービスの売上拡大、店舗への顧客の訪問誘導などが実現されているのかを容易に把握できるようにすることが望まれる。
【００２６】
以上、本実施形態の概要について説明した。
【００２７】
（１．第１の実施形態）
続いて、第１の実施形態について説明する。
【００２８】
［１−１．システムの概要］
まず、第１の実施形態に係る電子表示システム（表示制御システム）の構成例について説明する。
【００２９】
図２は、第１の実施形態に係る電子表示システムの構成例を示す図である。図２に示すように、第１の実施形態に係る電子表示システム１０は、表示装置２００−１〜２００−ｎを備え、それぞれの表示装置を制御する制御装置３００−１〜３００−ｎを備える（ｎは１以上の整数であればよい）。また、第１の実施形態に係る電子表示システム１０は、サーバ装置５００を備える。以下の説明においては、任意の表示装置を「表示装置２００」と記載する場合があり、その表示装置に接続される制御装置を「制御装置３００」と記載する場合がある。
【００３０】
また、図２に示すように、表示装置２００は、制御装置３００に接続されている。制御装置３００は、ネットワーク１００に接続され、ネットワーク１００を介してサーバ装置５００から情報を取得することが可能に構成されている。ネットワーク１００は、例えば、ＬＡＮ（ローカルエリアネットワーク）により構成されるが、ネットワーク１００の種類は、特に限定されない。
【００３１】
なお、図２に示された例では、電子表示システム１０は、コンテンツ管理装置４００（図１）を有していない。すなわち、本明細書においては、制御装置３００がコンテンツを保持している場合を主に想定する。しかし、電子表示システム１０は、コンテンツ管理装置４００（図１）を有してもよい。かかる場合、コンテンツは、あらかじめコンテンツ管理装置４００から配信されて制御装置３００によって保持されていてもよいし、制御装置３００によって必要に応じてネットワーク１００を介してコンテンツ管理装置４００から取得されてもよい。
【００３２】
ここで、コンテンツの種類は特に限定されない。例えば、コンテンツは、画像データ（静止画、動画、等々）を含んでもよいし、テキストデータを含んでもよい。
【００３３】
サーバ装置５００は、コンテンツに関連する所定の対象の状態を制御装置３００に提供する機能を有する。本明細書においては、対象の状態として、店舗の売上に関する情報を主に例として挙げる。しかし、対象の状態は限定されない。例えば、対象の状態は、店舗の来場者に関する情報であってもよいし、他の対象の何らかの状態であってもよい。例えば、コンテンツは、店舗で販売される商品に関する情報（例えば、商品の名称など）を含んでもよいし、店舗で提供されるサービスに関する情報（例えば、サービスの名称など）を含んでもよい。また、サーバ装置５００は、ＰＣ（Ｐｅｒｓｏｎａｌ  Ｃｏｍｐｕｔｅｒ）によって構成されてもよいし、専用の装置で構成されてもよい。
【００３４】
制御装置３００は、自身に接続される表示装置２００にコンテンツが表示されるように表示装置２００を制御する機能を有する。例えば、制御装置３００は、表示対象のコンテンツに応じた再生信号を表示装置２００に出力する。このとき、制御装置３００は、サーバ装置５００から提供される状態に基づいてコンテンツを制御する。また、制御装置３００は、ＰＣ（Ｐｅｒｓｏｎａｌ  Ｃｏｍｐｕｔｅｒ）によって構成されてもよいし、専用の装置で構成されてもよい。また、制御装置３００は、複数のコンテンツが所定の数ずつ順番に表示されるように制御してもよいし、複数のコンテンツが同時に表示されるように制御してもよい。
【００３５】
表示装置２００は、制御装置３００による制御に従って、コンテンツを表示する機能を有する。表示装置２００の種類は特に限定されないが、例えば、液晶ディスプレイであってもよいし、プラズマディスプレイであってもよい。また、表示装置２００は、ユーザによるコンテンツの選択操作を受け付ける機能を有してよい。
【００３６】
例えば、表示装置２００がタッチパネル付ディスプレイであれば、表示装置２００は、ユーザのタッチパネルへのタッチ操作を選択操作として受け付けることができる。しかし、表示装置２００は、タッチパネルの代わりに他の入力装置（例えば、ボタン、マウスなど）を有してもよい。また、入力装置は、表示装置２００の代わりに制御装置３００が有していてもよい。例えば、制御装置３００に入力装置（例えば、ボタン、マウスなど）が直接的に接続されていてよい。
【００３７】
以上、第１の実施形態に係る電子表示システム１０の構成例について説明した。
【００３８】
［１−２．サーバ装置の機能構成例］
続いて、第１の実施形態に係るサーバ装置５００の機能構成例について説明する。図３は、第１の実施形態に係るサーバ装置５００の機能構成例を示すブロック図である。図３に示すように、第１の実施形態に係るサーバ装置５００は、制御部５１０、通信部５２０および記憶部５３０を備える。
【００３９】
制御部５１０は、ＣＰＵ（Ｃｅｎｔｒａｌ  Ｐｒｏｃｅｓｓｉｎｇ  Ｕｎｉｔ）などを含み、記憶部５３０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、制御部５１０は、専用のハードウェアにより構成されていてもよいし、複数のハードウェアの組み合わせにより構成されてもよい。
【００４０】
通信部５２０は、ネットワーク１００を介して制御装置３００との間で通信を行うための通信インタフェースである。本明細書においては、通信部５２０が有線による通信を行う場合を主に想定するが、通信部５２０は、無線による通信を行ってもよい。
【００４１】
記憶部５３０は、制御部５１０を動作させるためのプログラムおよびデータを記憶することが可能な記憶装置である。また、記憶部５３０は、制御部５１０の動作の過程で必要となる各種データを一時的に記憶することもできる。例えば、記憶装置は、不揮発性の記憶装置であってよい。
【００４２】
なお、図３に示した例では、通信部５２０および記憶部５３０が、サーバ装置５００の内部に設けられている。しかし、これらの機能部の一部または全部は、サーバ装置５００の外部に設けられていてもよい。ここで、制御部５１０は、データ取得部５１１、状態生成部５１２および状態提供部５１３を備える。制御部５１０が備えるこれらの各機能部の詳細については、後に説明する。
【００４３】
以上、第１の実施形態に係るサーバ装置５００の機能構成例について説明した。
【００４４】
［１−３．制御装置の機能構成例］
続いて、第１の実施形態に係る制御装置３００の機能構成例について説明する。図４は、第１の実施形態に係る制御装置３００の機能構成例を示すブロック図である。図４に示すように、第１の実施形態に係る制御装置３００は、通信部３１０、記憶部３２０および制御部３３０を備える。
【００４５】
通信部３１０は、ネットワーク１００を介してサーバ装置５００との間で通信を行うための通信インタフェースである。本明細書においては、通信部３１０が有線による通信を行う場合を主に想定するが、通信部３１０は、無線による通信を行ってもよい。
【００４６】
記憶部３２０は、制御部３３０を動作させるためのプログラムおよびデータを記憶することが可能な記憶装置である。例えば、記憶部３２０は、コンテンツ情報３２２および表現情報３２３を記憶している。コンテンツ情報３２２および表現情報３２３それぞれについては、後に詳細に説明する。また、記憶部３２０は、制御部３３０の動作の過程で必要となる各種データを一時的に記憶することもできる。例えば、記憶装置は、不揮発性の記憶装置であってよい。
【００４７】
制御部３３０は、ＣＰＵ（Ｃｅｎｔｒａｌ  Ｐｒｏｃｅｓｓｉｎｇ  Ｕｎｉｔ）などを含み、記憶部３２０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、制御部３３０は、専用のハードウェアにより構成されていてもよいし、複数のハードウェアの組み合わせにより構成されてもよい。
【００４８】
なお、図４に示した例では、通信部３１０および記憶部３２０が、制御装置３００の内部に設けられている。しかし、これらの機能部の一部または全部は、制御装置３００の外部に設けられていてもよい。ここで、制御部３３０は、表示制御部３３１、状態取得部３３２および表現制御部３３４を備える。制御部３３０が備えるこれらの各機能部の詳細については、後に説明する。
【００４９】
以上、第１の実施形態に係る制御装置３００の機能構成例について説明した。
【００５０】
［１−４．機能詳細］
続いて、第１の実施形態に係る電子表示システム１０の機能詳細について説明する。まず、制御装置３００において記憶されている各種の情報の例について説明する。図５は、第１の実施形態に係るコンテンツ情報３２２の例を示す図である。特に、図５には、更新前のコンテンツ情報３２２−１の例が示されている。図５に示すように、コンテンツ情報３２２−１は、コンテンツ番号とコンテンツと情報番号と表現レベルとが関連付けられて構成されている。
【００５１】
図５を参照すると、コンテンツ情報３２２−１は、コンテンツＣＮ１〜ＣＮｎ（ｎは１以上の整数であればよい）を含んでいる。また、コンテンツ番号は、コンテンツを一意に識別するための情報である。
【００５２】
情報番号は、１つまたは複数のコンテンツを指定するための番号に該当する。例えば、情報番号に関連付けられている１または複数のコンテンツ番号によって１または複数のコンテンツが指定される。本明細書においては、説明を簡便にするため、複数の店舗それぞれにおいて１つの商品が取り扱われており、１つの商品に１つのコンテンツが関連付けられている場合を主に想定する。すなわち、本明細書においては、情報番号が、店舗ごとに一つ存在し、１つのコンテンツを指定するための番号に該当する場合を主に想定する。また、店舗の数は複数ではなく、１つでもよく、１つの店舗において複数の商品が取り扱われており、商品毎にそれぞれコンテンツが関連付けられてもよい。
【００５３】
しかし、情報番号は、複数のコンテンツを指定するための番号に該当してもよい。例えば、複数の商品を取り扱う店舗が存在し、この店舗によって取り扱われている複数の商品それぞれにコンテンツが関連付けられている場合を想定する。かかる場合、複数の商品を取り扱う店舗の情報番号は、その店舗によって取り扱われている複数の商品それぞれに関連するコンテンツをまとめて指定するための番号であってもよい。
【００５４】
表現レベルの詳細については、図６を参照しながら説明する。また、後に説明するように、更新前のコンテンツ情報３２２−１における各表現レベルの一部または全部は、表現制御部３３４によって更新され得る。なお、図５に示すように、更新前のコンテンツ情報３２２−１における各表現レベルには、初期値（図５に示した例では、表現レベル「０」）が設定されている。
【００５５】
図６は、表現情報３２３の例を示す図である。図６に示すように、表現情報３２３は、表現レベルと表現とが関連付けられて構成されている。なお、本明細書において使用される「表現」という用語は、他の用語にも置き換えられ得る。例えば、本明細書において使用される「表現」という用語は、「表示態様」という用語にも置き換えられ得る。
【００５６】
表現レベルは、コンテンツの表現を識別するための情報に該当する。本明細書においては、表現の強さ（ユーザの注意を視覚的に引き付ける強さ）に段階があり、より強い表現に対して、より高い表現レベルが関連付けられている場合を主に想定する。図６に示した例では、表現情報３２３において、表現の種類として、「そのまま表示」「拡大表示」「フラッシュ表示」「拡大表示かつフラッシュ表示」「表示頻度増加」「表示頻度増加かつフラッシュ表示」が挙げられており、表現の弱い順に並べられている。
【００５７】
具体的に、表現情報３２３において、表現「そのまま表示」の表現レベルが初期値（表現レベル「０」）とされている。また、表現「拡大表示」の表現レベルが「１」とされている。また、表現「フラッシュ表示」の表現レベルが「２」とされている。また、表現「拡大表示かつフラッシュ表示」の表現レベルが「３」とされている。また、表現「表示頻度増加」の表現レベルが「４」とされている。また、表現「表示頻度増加かつフラッシュ表示」の表現レベルが「５」とされている。
【００５８】
しかし、図６に示した各表現の強さは、一例に過ぎないため、各表現の強さは特に限定されない。表現レベルを示す各値も「０」〜「５」に限定されない。また、表現の種類も、図６に示した表現の種類に限定されず、他の表現が存在してもよい。また、図６に示した例では、表現レベルごとに異なる表現が関連付けられているが、複数の表現レベルに対して同一の表現が関連付けられていてもよい。また、表現の数も、図６に示した表現の数に限定されない。なお、表現レベルは、表現の強さとは無関係に、単にコンテンツの表現を識別するための情報であってもよい。
【００５９】
以上に示したように、制御装置３００によって各種の情報が記憶されている場合を想定して、電子表示システム１０の動作を説明する。図７は、第１の実施形態に係る電子表示システム１０の動作の例を示すフローチャートである。まず、サーバ装置５００において、データ取得部５１１は、状態情報を生成するためのデータを取得する。ここで、状態情報について説明する。図８は、第１の実施形態に係る状態情報の例を示す図である。特に、図８は、二つの時点それぞれの状態情報のうち、先の時点における状態情報３２１−１の例を示している。後の時点における状態情報については、後に説明する。
【００６０】
図８に示すように、状態情報３２１−１は、情報番号と状態とが関連付けられてなる。データ取得部５１１は、情報番号ごとにデータを取得する（例えば、店舗ごとにデータを取得する）。上記したように、本明細書においては、状態が店舗の売上に関する情報である場合を主に想定する。かかる場合、一例として、データ取得部５１１は、店舗の売上額を取得する。店舗の売上額は、現在を基準とした所定の期間（例えば、前日など）における店舗の売上額であってよく、記憶部５３０によってあらかじめ記憶されていてもよいし、サーバ装置５００の外部から通信部５２０によって受信されてもよい。
【００６１】
そして、状態生成部５１２は、売上額が属する範囲を状態として判断する。例えば、状態生成部５１２は、売上額が目標額に対して低いほど、状態が悪いと判断する（例えば、より高い表現レベルに対応する値を状態として判断する）。一例として、状態生成部５１２は、「売上額≧目標額」が成立する場合には、表現レベル「０」に対応する「０」を状態として判断する。
【００６２】
同様にして、状態生成部５１２は、「目標額＞売上額≧目標額×９０％」が成立する場合には、状態「１」と判断する。また、状態生成部５１２は、「目標額×９０％＞売上額≧目標額×８０％」が成立する場合には、状態「２」と判断する。また、状態生成部５１２は、「目標額×８０％＞売上額≧目標額×７０％」が成立する場合には、状態「３」と判断する。また、状態生成部５１２は、「目標額×７０％＞売上額≧目標額×６０％」が成立する場合には、状態「４」と判断する。また、状態生成部５１２は、「目標額×６０％＞売上額」が成立する場合には、状態「５」と判断する。
【００６３】
なお、各範囲の上限および下限は、ここに示した例に限定されない。状態生成部５１２は、このようにして得られる状態と情報番号とを関連付けることによって、状態情報３２１−１を生成する。
【００６４】
なお、ここでは、状態生成部５１２が、売上額が属する範囲を状態として判断する例を示した。しかし、上記したように、状態は店舗への来場者に関する情報であってもよい。かかる場合、一例として、データ取得部５１１は、店舗への来場者数を取得する。店舗への来場者は、現在を基準とした所定の期間（例えば、前日など）における店舗への来場者数であってよく、記憶部５３０によってあらかじめ記憶されていてもよいし、サーバ装置５００の外部から通信部５２０によって受信されてもよい。
【００６５】
このとき、状態生成部５１２は、店舗への来場者数が属する範囲を状態として判断してよい。例えば、状態生成部５１２は、来場者数が目標人数に対して低いほど、状態が悪いと判断してよい（例えば、より高い表現レベルに対応する値を状態として判断してよい）。状態生成部５１２は、店舗の売上額が属する範囲を判断する場合と同様にして、店舗への来場者数が属する範囲も判断することが可能であるため、詳細な説明は省略する。
【００６６】
続いて、状態提供部５１３は、通信部５２０を介して状態情報３２１−１を制御装置３００に提供する（Ｓ５０１）。制御装置３００においては、動作が開始され（Ｓ３０１）、状態取得部３３２は、通信部３１０を介して状態情報３２１−１を取得する。そして、表現制御部３３４は、状態情報３２１−１を確認する（Ｓ３１１）。このとき、表現制御部３３４は、状態取得部３３２によって取得される状態情報３２１−１における状態が変化しない限りは（Ｓ３１２において「Ｎｏ」）、コンテンツ情報３２２−１を変更しない。そして、表示制御部３３１は、表示処理を行う（Ｓ３１４）。表示装置２００は、表示制御部３３１による表示処理に従って、各コンテンツの表示を行う（Ｓ２０１）。
【００６７】
このとき、表現制御部３３４は、状態取得部３３２によって取得される状態情報３２１−１における状態が変化しない限り、更新前のコンテンツ情報３２２−１（図５）に基づいて、各コンテンツの表現を制御する。表示装置２００は、表現制御部３３４による表現の制御に従って、各コンテンツの表示を行う。
【００６８】
図９は、更新前のコンテンツ情報３２２−１に基づく各コンテンツの表示例を示す図である。ここで、図９を参照すると、更新前のコンテンツ情報３２２−１においては、各コンテンツの表現レベルが「０」である。したがって、表現制御部３３４は、各コンテンツが表現レベル「０」に対応する表現となるように各コンテンツの表現を制御する。図６を参照すると、表現レベル「０」に対応する表現は、「そのまま表示」である。したがって、表現制御部３３４は、図９に示すように、各コンテンツがそのまま表示されるように各コンテンツの表現を制御する。
【００６９】
なお、図９に示された例では、更新前のコンテンツ情報３２２−１におけるコンテンツＣＮ１〜ＣＮｎのうち、コンテンツＣＮ１（Ｃ２１１）、コンテンツＣＮ２（Ｃ２２１）、および、コンテンツＣＮ３（Ｃ２３１）が表示されている。このように、表示制御部３３１は、コンテンツＣＮ１〜ＣＮｎが所定の数ずつ（図９に示された例では、３つずつ）順番に表示されるように制御してよい。あるいは、表示制御部３３１は、コンテンツＣＮ１〜ＣＮｎが同時に表示されるように制御してもよい。
【００７０】
続いて、動作が終了される場合には（Ｓ３０２において「Ｙｅｓ」）、動作が終了される。一方、動作が継続される場合には（Ｓ３０２において「Ｎｏ」）、Ｓ３１１に動作が移行される。続いて、サーバ装置５００において、状態情報３２１−１が生成された時点（先の時点）から時間が経過し、先の時点とは異なる時点（後の時点）における状態情報が生成された場合を想定する。
【００７１】
図１０は、第１の実施形態に係る状態情報の例を示す図である。特に、図１０は、後の時点における状態情報３２１−２の例を示している。後の時点における状態情報３２１−２を参照すると、先の時点における状態情報３２１−１（図８）と比較して、情報番号「２」に対応する状態が「０」から「３」に変化している。例えば、このような状態変化は、店舗の売上額の低下、または、店舗への来場者数の低下などが原因として想定される。
【００７２】
続いて、状態提供部５１３は、通信部５２０を介して状態情報３２１−２を制御装置３００に提供する（Ｓ５０１）。状態取得部３３２は、通信部３１０を介して状態情報３２１−２を取得する。そして、表現制御部３３４は、状態情報３２１−２を確認する（Ｓ３１１）。このとき、表現制御部３３４は、情報番号「３」に対応する状態が変化したと判断し（Ｓ３１２において「Ｙｅｓ」）、コンテンツ情報３２２−１を変更する（Ｓ３１３）。
【００７３】
より具体的に、表現制御部３３４は、先の時点における状態情報３２１−１（図８）と後の時点における状態情報３２１−２（図１０）とにおいて、各状態の差分を算出する。ここでは、表現制御部３３４は、情報番号「２」に対応する状態が「０」から「３」に変化しているため、情報番号「２」に対応する状態に差分「３」が生じていると判断する。そして、表現制御部３３４は、更新前のコンテンツ情報３２２−１（図５）において、情報番号「２」に対応する表現レベル「０」を、情報番号「２」に対応する状態の差分「３」に対応するレベル幅「３」だけ変化させる。
【００７４】
図１１は、更新後のコンテンツ情報３２２−２の例を示す図である。図１１を参照すると、更新後のコンテンツ情報３２２−２においては、表現制御部３３４が、情報番号「２」に対応する表現レベルを、差分「３」に対応する表現レベル「３」だけ変化させた結果として、情報番号「２」に対応する表現レベルが「０」から「３」に変化している。そして、表示制御部３３１は、表示処理を行う（Ｓ３１４）。表示装置２００は、表示制御部３３１による表示処理に従って、各コンテンツの表示を行う（Ｓ２０１）。
【００７５】
このとき、表現制御部３３４は、各情報番号に対応する状態の差分に基づいて、各情報番号によって指定されるコンテンツの表現を制御する。より具体的には、表現制御部３３４は、更新後のコンテンツ情報３２２−２を参照して、状態に差分が生じた情報番号「２」によって指定されるコンテンツＣＮ２の表現を変更する。
【００７６】
図１２は、更新後のコンテンツ情報３２２−２に基づく各コンテンツの表示例を示す図である。ここで、図１１を参照すると、更新後のコンテンツ情報３２２−２においては、コンテンツＣＮ２の表現レベルが「３」である。したがって、表現制御部３３４は、コンテンツＣＮ２が表現レベル「３」に対応する表現となるようにコンテンツＣＮ２の表現を制御する。図６を参照すると、表現レベル「３」に対応する表現は、「拡大表示かつフラッシュ表示」である。したがって、表現制御部３３４は、図１２に示すように、コンテンツＣＮ２（Ｃ２２３）が拡大表示かつフラッシュ表示されるようにコンテンツＣＮ２（Ｃ２２３）の表現を変更する。
【００７７】
以上において、第１の実施形態に係る電子表示システム１０の機能詳細について説明した。
【００７８】
［１−５．まとめ］
第１の実施形態に係る制御装置３００において、状態取得部３３２は、コンテンツを指定するための情報番号とコンテンツに関連する所定の対象の状態に関する情報とを取得する。そして、表現制御部３３４は、状態に関する情報に基づいて、情報番号によって指定されるコンテンツの表現を制御する。例えば、上記したように、状態取得部３３２は、異なる二つの時点（先の時点および後の時点）それぞれにおける状態の差分を状態に関する情報として取得してよい。
【００７９】
かかる構成によれば、コンテンツを見るだけでコンテンツに関連する所定の対象の状態の変化を容易に把握することが可能となる。一例として、店舗における売上に関する情報が状態として扱われ、コンテンツ番号「２」に関連する商品の売上額が低い場合に、この情報番号「２」に対応する状態について「目標額×６０％＞売上額」が成立する。その結果、状態情報における情報番号「２」に対応する状態が「５」となるため、情報番号「２」に対応するコンテンツの表現が「表示頻度増加かつフラッシュ表示」となり、優先的かつ／またはユーザの関心を引くようにコンテンツの表現が容易に変更される。
【００８０】
なお、上記では、状態取得部３３２が、二つの時点それぞれにおける状態をサーバ装置５００から順に取得し、二つの時点における状態の差分を算出する場合を主に説明した。しかし、状態取得部３３２は、二つの時点それぞれにおける状態の差分をサーバ装置５００から状態に関する情報として取得してもよい。かかる場合、サーバ装置５００においては、状態生成部５１２が、二つの時点それぞれにおける状態の差分を算出し、状態提供部５１３が、差分を制御装置３００に提供する。
【００８１】
また、上記では、表現制御部３３４は、二つの時点それぞれにおける状態の差分に応じて表現を変化させることによってコンテンツの表現を変更する場合を主に説明した。具体的に、表現制御部３３４は、情報番号「２」に対応する状態が「０」から「３」に変化している場合、情報番号「２」に対応する状態の差分「３」に対応するレベル幅「３」だけ、情報番号「２」に対応する表現レベルを変化させる場合を主に説明した。しかし、どのようにして表現を変化させるかは限定されない。
【００８２】
例えば、表現制御部３３４は、二つの時点のうち後の時点における状態に対応する表現にコンテンツの表現を変更してもよい。具体的に、表現制御部３３４は、情報番号「２」に対応する状態が、先の時点における状態「０」から後の時点における状態「３」に変化している場合、後の時点における状態「３」に対応する表現レベル「３」に、情報番号「２」に対応する表現レベルを変化させてもよい。
【００８３】
あるいは、表現制御部３３４は、二つの時点それぞれにおける状態の差分に対応する表現にコンテンツの表現を変更してもよい。具体的に、表現制御部３３４は、情報番号「２」に対応する状態が、先の時点における状態「０」から後の時点における状態「３」に変化している場合、情報番号「２」に対応する状態の差分「３」に対応する表現レベル「３」に、情報番号「２」に対応する表現レベルを変化させてもよい。
【００８４】
また、上記では、状態生成部５１２が、売上額が属する範囲を示す情報を状態として判断する例を示した。しかし、状態生成部５１２は、売上額自体を状態として扱ってもよい。かかる場合、状態提供部５１３は、売上額自体を状態として制御装置３００に提供する。このとき、制御装置３００において、記憶部３２０によって売上額と表現レベルとの対応関係があらかじめ記憶されていれば、表現制御部３３４は、状態提供部５１３から提供される売上額と、記憶部３２０によって記憶されている対応関係とに基づいて、表現レベルを判断することが可能である。さらに、売上額の代わりに、売上数が使用されてもよい。
【００８５】
同様にして、上記では、状態生成部５１２が、来場者数が属する範囲を示す情報を状態として判断する例を示した。しかし、状態生成部５１２は、来場者数自体を状態として扱ってもよい。かかる場合、状態提供部５１３は、来場者数自体を状態として制御装置３００に提供する。このとき、制御装置３００において、記憶部３２０によって来場者数と表現レベルとの対応関係があらかじめ記憶されていれば、表現制御部３３４は、状態提供部５１３から提供される来場者数と、記憶部３２０によって記憶されている対応関係とに基づいて、表現レベルを判断することが可能である。
【００８６】
また、上記では、１つのサーバ装置５００から制御装置３００に状態情報が提供される場合を主に説明した。しかし、複数のサーバ装置５００それぞれから制御装置３００に状態情報が提供されてもよい。かかる場合には、複数のサーバ装置５００それぞれから制御装置３００に提供される状態情報同士において、情報番号が重複しないようにされていれば、上記した機能を特に変更しなくても動作に支障はないと考えられる。
【００８７】
また、上記では、状態が変化した情報番号によって指定されるコンテンツの表現のみを変更する場合を主に説明した。しかし、状態が変化していない情報番号によって指定されるコンテンツの表現と比較して、状態が変化した情報番号によって指定されるコンテンツの表現をより強調させて、当該コンテンツがユーザにとって目立つようにしたい場合も想定される。かかる場合、表現制御部３３４は、表現レベルを一律に下げてもよい（例えば、最小の表現レベルが０に合うように、全ての表現レベルから同じ値を減じてもよい）。あるいは、表現制御部３３４は、状態の取り得る値を増加させることによって、各状態に対応する表現レベルが異なる可能性を高めてもよい。
【００８８】
また、上記では、各表現レベルに対応する表現が固定である場合を主に説明した。すなわち、表現情報３２３は特に更新されない場合を主に説明した。しかし、各表現レベルに対応する表現は、動的に変更されてもよい。例えば、各表現によってコンテンツが表示された場合に、状態がどのように変化したかが記録されてもよい。そうすれば、表現制御部３３４は、かかる表現ごとの状態変化に基づいて、状態が悪くなる傾向が強い表現ほど、高い表現レベルに対応するように、表現情報３２３を更新してもよい。
【００８９】
また、上記では、コンテンツを見ているユーザに依存せずにコンテンツの表現を制御する場合を主に説明した。しかし、コンテンツの表現の制御は、コンテンツを見ているユーザに依存してもよい。例えば、コンテンツを見ているユーザの顔画像がカメラによって得られる場合、表現制御部３３４は、カメラによって得られた顔画像から認識されるユーザの属性に応じてコンテンツの表現を制御してもよい。ユーザの属性とコンテンツの表現との対応関係は、記憶部３２０によってあらかじめ記憶されていてもよいし、状態変化の解析によって状態が良くなる傾向が強い対応関係が構築されてもよい。
【００９０】
以上、第１の実施形態について説明した。
【００９１】
（２．第２の実施形態）
続いて、第２の実施形態について説明する。第２の実施形態に係る電子表示システム１０は、第１の実施形態に係る電子表示システム１０と比較して、サーバ装置５００から制御装置３００に提供される状態情報が異なる。したがって、以下では、第２の実施形態において、サーバ装置５００から制御装置３００に提供される状態情報について主に説明する。
【００９２】
［２−１．機能詳細］
続いて、第２の実施形態に係る電子表示システム１０の機能詳細について説明する。第２の実施形態においても、まず、サーバ装置５００において、データ取得部５１１が、状態情報を生成するためのデータを取得する。このとき、データ取得部５１１は、状態情報を生成するためのデータとして表示情報も取得する。ここで、第２の実施形態に係る状態情報について説明する。
【００９３】
図１３は、第２の実施形態に係る状態情報の例を示す図である。特に、図１３は、二つの時点それぞれの状態情報のうち、先の時点における状態情報３２１−３の例を示している。後の時点における状態情報については、後に説明する。図１３に示すように、状態情報３２１−３は、情報番号と状態と表示情報とが関連付けられてなる。データ取得部５１１は、情報番号ごとにデータを取得する（例えば、店舗ごとにデータを取得する）。ここで、情報番号および状態は、第２の実施形態においても第１の実施形態と同様にして取得されてよい。
【００９４】
表示情報は特に限定されない。一例として、データ取得部５１１は、店舗における商品の価格を表示情報として取得する。店舗における商品の価格は、店舗における商品の現在の価格であってよく、記憶部５３０によってあらかじめ記憶されていてもよいし、サーバ装置５００の外部から通信部５２０によって受信されてもよい。状態生成部５１２は、このようにして得られる状態と情報番号と表示情報とを関連付けることによって、状態情報３２１−３を生成する。
【００９５】
状態提供部５１３は、通信部５２０を介して状態情報３２１−３を制御装置３００に提供する。制御装置３００において、状態取得部３３２は、通信部３１０を介して状態情報３２１−３を取得する。このとき、表現制御部３３４は、状態取得部３３２によって取得される状態情報３２１−３における表示情報の表示を制御する。例えば、表現制御部３３４は、コンテンツの表示位置に対応する位置への表示情報の表示を制御する。表示装置２００は、表現制御部３３４による制御に従って、表示情報の表示を行う。
【００９６】
図１４は、先の時点における状態情報３２１−３に基づく各コンテンツの表示例を示す図である。ここで、図１３を参照すると、先の時点における状態情報３２１−３においては、コンテンツＣＮ１の表示情報が「１００」である。したがって、表現制御部３３４は、コンテンツＣＮ１（Ｃ２１１）の表示位置に対応する位置への表示情報Ｃ２１２「１００」の表示を制御する。なお、図１４においては、コンテンツＣＮ１（Ｃ２１１）の中央付近に表示情報Ｃ２１２「１００」が表示されているが、表示情報Ｃ２１２「１００」が表示される位置は、コンテンツＣＮ１（Ｃ２１１）の中央付近に限定されない。
【００９７】
同様にして、図１３を参照すると、先の時点における状態情報３２１−３においては、コンテンツＣＮ２の表示情報が「２００」である。したがって、表現制御部３３４は、コンテンツＣＮ２（Ｃ２２１）の表示位置に対応する位置への表示情報Ｃ２２２「２００」の表示を制御する。なお、表示情報Ｃ２２２「２００」が表示される位置も特に限定されない。また、図１３を参照すると、先の時点における状態情報３２１−３においては、コンテンツＣＮ３の表示情報が「３００」である。したがって、表現制御部３３４は、コンテンツＣＮ３（Ｃ２３１）の表示位置に対応する位置への表示情報Ｃ２３２「３００」の表示を制御する。なお、表示情報Ｃ２３２「３００」が表示される位置も特に限定されない。
【００９８】
続いて、サーバ装置５００において、状態情報３２１−３が生成された時点（先の時点）から時間が経過し、先の時点とは異なる時点（後の時点）における状態情報が生成された場合を想定する。
【００９９】
図１５は、第２の実施形態に係る状態情報の例を示す図である。特に、図１５は、後の時点における状態情報３２１−４の例を示している。後の時点における状態情報３２１−４を参照すると、先の時点における状態情報３２１−３（図１３）と比較して、情報番号「２」に対応する状態が「０」から「３」に変化しており、情報番号「２」に対応する表示情報が「２００」から「１９０」に変化している。例えば、このような表示情報の変化は、店舗における商品の価格の低下などが原因として想定される。
【０１００】
なお、状態の変化に伴う表現の変更は、第２の実施形態においても第１の実施形態と同様にしてなされてよいため、状態の変化に伴う表現の変更についての詳細な説明を省略する。
【０１０１】
続いて、状態提供部５１３は、通信部５２０を介して状態情報３２１−４を制御装置３００に提供する。制御装置３００において、状態取得部３３２は、通信部３１０を介して状態情報３２１−３を取得する。このとき、表現制御部３３４は、状態取得部３３２によって取得される状態情報３２１−４における表示情報の表示を制御する。例えば、表現制御部３３４は、コンテンツの表示位置に対応する位置への表示情報の表示を制御する。表示装置２００は、表現制御部３３４による制御に従って、表示情報の表示を行う。
【０１０２】
図１６は、先の時点における状態情報３２１−３と後の時点における状態情報３２１−４とを並べて示した図である。
【０１０３】
図１７は、後の時点における状態情報３２１−４に基づく各コンテンツの表示例を示す図である。ここで、図１６を参照すると、先の時点における状態情報３２１−３と比較して後の時点における状態情報３２１−４においては、コンテンツＣＮ２の表示情報が「１９０」に変更されている。したがって、表現制御部３３４は、コンテンツＣＮ２（Ｃ２２３）の表示位置に対応する位置への表示情報Ｃ２２４「１９０」の表示を制御する（表示情報を変更する）。他の表示情報は、特に変更されなくてよい。
【０１０４】
以上において、第２の実施形態に係る電子表示システム１０の機能詳細について説明した。
【０１０５】
［２−２．まとめ］
第２の実施形態に係る制御装置３００において、状態取得部３３２は、表示情報を取得し、表現制御部３３４は、コンテンツの表示位置に対応する位置への表示情報の表示を制御する。例えば、表示情報は、店舗における商品の価格であってよい。かかる構成によれば、コンテンツを見るだけでコンテンツに関連する所定の対象の状態の変化をさらに詳細に把握することが可能となる。
【０１０６】
例えば、表示情報として店舗における商品の価格が表示される場合、ユーザは、表示情報を見ることによって、価格を視覚的に容易に把握することが可能となる。したがって、表示情報として表示される価格が値引きされている場合などには、ユーザによる商品の購買意欲を高め、商品の売上額の向上を図ることが可能となる。なお、表示情報は、店舗における商品の価格に限定されない。例えば、表示情報は、値引き額であってもよいし、値引率であってもよい。
【０１０７】
また、上記では、表示情報の表示が他の情報に特に依存していない場合について主に説明した。しかし、表示情報の表示は、他の情報に依存していてもよい。例えば、表示情報の表示は、状態に依存していてもよい。このとき、表現制御部３３４は、状態が悪いほど（あるいは、状態が悪い方向に大きく変化するほど）、表示情報が大きく表示されるようにしてもよい。そうすれば、状態が悪いほど（例えば、売上額が低いほど）、ユーザの視覚的な注意を引き、購買意欲を高めることが可能となる。
【０１０８】
また、表現制御部３３４は、表示情報に追加して所定の文字データも表示されるようにしてよい。例えば、表示情報に追加して表示される文字データは、「期間限定」「値引き」「特価」などの文字データであってもよい。そうすれば、ユーザの関心をより強く引き付けることが可能になることが期待される。文字データが表示される位置は特に限定されない。例えば、文字データが表示される位置は、表示情報の位置に応じた位置（例えば、表示情報の前など）であってもよい。
【０１０９】
また、上記では、サーバ装置５００において、表示情報が取得される場合を主に説明した。しかし、表示情報は、状態生成部５１２によって自動的に変化されてもよい。このとき、例えば、状態生成部５１２は、状態の変化に応じて表示情報を変化させてもよいし、時間の経過に伴って表示情報を変化させてもよい。例えば、状態生成部５１２は、所定の状態よりも状態が悪い期間（例えば、売上額が所定の売上額よりも低い期間）が所定の期間継続した場合に、表示情報を変化させてもよい（例えば、価格を低下させてもよい）。このとき、表示情報の限界値（例えば、価格の下限値など）が設けられていてもよい。
【０１１０】
一方、状態生成部５１２は、所定の状態よりも状態が良い場合に（例えば、商品の在庫数が所定の個数よりも少ない場合に）、表示情報を変化させてもよい（例えば、価格を上昇させてもよい）。これによって、売上額が向上することが期待される。また、状態生成部５１２は、状態が悪い方向に変化するまで（例えば、その商品の売上額が下がり始めるまで）、かかる表示情報の変化を継続してもよい。
【０１１１】
以上、第２の実施形態について説明した。
【０１１２】
（３．第３の実施形態）
続いて、第３の実施形態について説明する。第３の実施形態に係る電子表示システム１０は、第１の実施形態に係る電子表示システム１０と比較して、制御装置３００の構成が異なる。したがって、以下では、第３の実施形態において、制御装置３００の構成例について主に説明する。
【０１１３】
［３−１．制御装置の機能構成例］
まず、第３の実施形態に係る制御装置３００の機能構成例について説明する。図１８は、第３の実施形態に係る制御装置３００の機能構成例を示すブロック図である。図１８に示すように、第３の実施形態に係る制御装置３００は、第１の実施形態に係る制御装置３００と比較して、制御部３３０が異なる。したがって、以下では、通信部３１０および記憶部３２０についての詳細な説明は省略し、第３の実施形態に係る制御部３３０のうち第１の実施形態に係る制御部３３０との差分について主に説明する。
【０１１４】
図１８に示すように、第３の実施形態に係る制御部３３０は、第３の実施形態に係る制御部３３０と同様に、表示制御部３３１、状態取得部３３２および表現制御部３３４を備える。また、第３の実施形態に係る制御部３３０は、入力処理部３３５をさらに備える。以下では、制御部３３０が備えるこれらの機能構成部の各機能について主に説明する。
【０１１５】
［３−２．機能詳細］
続いて、第３の実施形態に係る電子表示システム１０の機能詳細について説明する。図１９は、第３の実施形態に係る電子表示システム１０の動作の例を示すフローチャートである。前提として、ユーザは、表示されているコンテンツを見ながら、気になるコンテンツがあった場合などに、そのコンテンツに対して選択操作を入力することが可能である（Ｓ２０２）。このとき、入力処理部３３５は、表示装置２００が有する入力装置によって受け付けられた選択操作によって選択されるコンテンツを認識する。
【０１１６】
このようにしてコンテンツが選択された場合、どのような処理がなされてもよい。一例として、表示制御部３３１は、コンテンツよりもさらに詳細な情報（例えば、コンテンツに対応する商品またはサービスについてのさらに詳細な情報など）が表示されるように表示装置２００を制御してもよい。入力処理部３３５は、コンテンツが選択されない場合には（Ｓ３２２において「Ｎｏ」）、コンテンツ情報３２２を変更しない。一方、入力処理部３３５は、コンテンツが選択された場合には（Ｓ３２２において「Ｙｅｓ」）、コンテンツ情報３２２を変更する（Ｓ３２３）。
【０１１７】
より詳細には、入力処理部３３５は、コンテンツが選択された場合には、コンテンツ情報におけるそのコンテンツの選択回数を１カウントアップする。図２０は、第３の実施形態に係るコンテンツ情報３２２の例を示す図である。特に、図２０には、表現レベル更新前のコンテンツ情報３２２−３の例が示されている。図２０に示すように、コンテンツ情報３２２−３は、コンテンツ番号とコンテンツと情報番号と表現レベルと監視時間と閾値と選択回数とが関連付けられて構成されている。
【０１１８】
なお、ここでは、監視時間の単位が「分」であることを想定するが、監視時間の単位は限定されない。例えば、監視時間の単位は「時間」であってもよいし、「秒」であってもよい。
【０１１９】
続いて、表現制御部３３４は、コンテンツの選択回数が所定の条件を満たす場合、コンテンツの表現を変更する。一方、表現制御部３３４は、コンテンツの選択回数が所定の条件を満たさない場合、コンテンツの表現を変更しない。ここで、所定の条件は、特に限定されない。例えば、所定の条件は、コンテンツの選択回数が閾値以上であるという条件であってもよい。あるいは、以下に説明するように、所定の条件は、コンテンツの選択回数が閾値以上であるという条件、かつ、監視時間が経過したという条件であってもよい。
【０１２０】
すなわち、表現制御部３３４は、コンテンツ情報３２２−３において、監視時間が経過していないという条件（Ｓ３２４において「Ｎｏ」）、または、選択回数が閾値以上であるという条件（Ｓ３２５において「Ｎｏ」）を満たすコンテンツの表現レベルを更新しない。一方、入力処理部３３５は、コンテンツ情報３２２−３において、監視時間が経過したという条件（Ｓ３２４において「Ｙｅｓ」）、かつ、選択回数が閾値未満であるという条件（Ｓ３２５において「Ｙｅｓ」）を満たすコンテンツの表現レベルを更新する。
【０１２１】
なお、監視時間と比較される経過時間は、どのように算出されてもよい。ここでは、監視時間と比較される経過時間が、コンテンツの表示が開始されてからの経過時間（コンテンツの表示が開始された時点における経過時間が「０」）であり、経過時間が監視時間に達した場合には、経過時間が「０」にリセットされる場合を想定する。また、経過時間が監視時間に達した場合には、選択回数も「０」にリセットされる場合を想定する。
【０１２２】
図２０に示したコンテンツ情報３２２−３においては、コンテンツＣＮ１〜ＣＮｎのすべての監視時間が経過しているとする。しかし、コンテンツＣＮ１〜ＣＮｎのうち、コンテンツＣＮ２の選択回数のみが閾値未満である。このとき、表現制御部３３４は、コンテンツＣＮ２の表現レベルのみを変化させてよい。例えば、選択回数が閾値未満であるコンテンツに対してはユーザの関心が低いことが想定される。そこで、表現制御部３３４は、選択回数が閾値未満であるコンテンツの表現レベルを上昇させるようにしてよい。
【０１２３】
図２１は、第３の実施形態に係るコンテンツ情報３２２の例を示す図である。特に、図２１には、表現レベル更新後のコンテンツ情報３２２−４の例が示されている。図２１に示すように、表現制御部３３４は、選択回数が閾値未満であるコンテンツＣＮ２の表現レベを所定のレベル幅だけ（図２１に示した例では、「１」だけ）上昇させてよい。なお、図２１に示した例では、コンテンツＣＮ１〜ＣＮｎのすべての監視時間が経過したため、選択回数が「０」にリセットされている。
【０１２４】
図１９に戻って説明を続ける。Ｓ５０１、Ｓ３１１〜Ｓ３１４、Ｓ３０２、Ｓ３０３、Ｓ２０１については、第１の実施形態において、図７を参照しながら説明したようにして実行され得るため、これらのステップの詳細な説明は、ここでは省略する。このようにして、表現レベルが更新されると、表現制御部３３４によって、表現レベル更新後のコンテンツ情報３２２−４に基づいて、各コンテンツの表現が制御される。
【０１２５】
図２２は、表現レベル更新後のコンテンツ情報３２２−４に基づく各コンテンツの表示例を示す図である。ここで、図２１を参照すると、表現レベル更新後のコンテンツ情報３２２−４においては、コンテンツＣＮ１およびコンテンツＣＮ３の表現レベルは「０」である。図６を参照すると、表現レベル「１」に対応する表現は、「そのまま表示」である。したがって、表現制御部３３４は、図２２に示すように、コンテンツＣＮ１およびコンテンツＣＮ３がそのまま表示されるようにコンテンツＣＮ１およびコンテンツＣＮ３の表現を制御する。
【０１２６】
一方、図２１を参照すると、表現レベル更新後のコンテンツ情報３２２−４においては、コンテンツＣＮ２の表現レベルは「１」である。図６を参照すると、表現レベル「１」に対応する表現は、「拡大表示」である。したがって、表現制御部３３４は、図２２に示すように、コンテンツＣＮ２が拡大表示されるようにコンテンツＣＮ２の表現を制御する。これによって、コンテンツＣＮ２に対してユーザの関心をより強く引くことが可能となることが期待される。
【０１２７】
以上において、第３の実施形態に係る電子表示システム１０の機能詳細について説明した。
【０１２８】
［３−３．まとめ］
第３の実施形態に係る制御装置３００において、表現制御部３３４は、コンテンツの選択回数が所定の条件を満たす場合、コンテンツの表現を変更する。かかる構成によれば、ユーザによる選択回数が低いコンテンツが存在する場合（すなわち、ユーザの関心をあまり引いていないコンテンツが存在した場合）、そのコンテンツの表現の変更によって、そのコンテンツへのユーザの関心をより強く引きつけることが可能になることが期待される。
【０１２９】
上記では、コンテンツ情報３２２−３において、監視時間および閾値は、固定値としてあらかじめ設定されている場合を主に想定した。しかし、監視時間および閾値は適宜調整されてもよい。例えば、監視時間および閾値の少なくともいずれか一方は、サーバ装置５００から制御装置３００に適宜提供されてもよい。そして、制御装置３００は、サーバ装置５００から監視時間および閾値の少なくともいずれか一方が取得された場合、かかる情報に基づいて、コンテンツ情報３２２−３を更新してもよい。
【０１３０】
例えば、監視時間および閾値の少なくともいずれか一方は、状態情報に含められて、サーバ装置５００から制御装置３００に適宜提供されてもよい。図２３は、状態情報に閾値が含められる例を示した図である。図２３を参照すると、状態情報３２１−５は、情報番号と状態と閾値とが関連付けられてなる。このように、閾値は、状態情報３２１−５に含められて、サーバ装置５００から制御装置３００に適宜提供されてもよい。このとき、制御装置３００においては、状態情報３２１−５に含められた閾値によって、コンテンツ情報３２２−３における閾値を更新してもよい。
【０１３１】
以上、第３の実施形態について説明した。
【０１３２】
（４．変形例の説明）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１３３】
１０    電子表示システム
１００  ネットワーク
２００  表示装置
３００  制御装置
３１０  通信部
３２０  記憶部
３２１  状態情報
３２２  コンテンツ情報
３２３  表現情報
３３０  制御部
３３１  表示制御部
３３２  状態取得部
３３４  表現制御部
３３５  入力処理部
４００  コンテンツ管理装置
５００  サーバ装置
５１０  制御部
５１１  データ取得部
５１２  状態生成部
５１３  状態提供部
５２０  通信部
５３０  記憶部
６００  制御装置
【図１】
2018169492.tif 000003
【図２】
2018169492.tif 000004
【図３】
2018169492.tif 000005
【図４】
2018169492.tif 000006
【図５】
2018169492.tif 000007
【図６】
2018169492.tif 000008
【図７】
2018169492.tif 000009
【図８】
2018169492.tif 000010
【図９】
2018169492.tif 000011
【図１０】
2018169492.tif 000012
【図１１】
2018169492.tif 000013
【図１２】
2018169492.tif 000014
【図１３】
2018169492.tif 000015
【図１４】
2018169492.tif 000016
【図１５】
2018169492.tif 000017
【図１６】
2018169492.tif 000018
【図１７】
2018169492.tif 000019
【図１８】
2018169492.tif 000020
【図１９】
2018169492.tif 000021
【図２０】
2018169492.tif 000022
【図２１】
2018169492.tif 000023
【図２２】
2018169492.tif 000024
【図２３】
2018169492.tif 000025